【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御部と、
前記制御部により生成された前記記録モード情報と前記平均ビットレート情報を、前記AVストリームの実体を管理するClip情報として、前記AVストリームとともに記録媒体に記録する記録部と
を備える情報処理装置。
【請求項２】
前記AVストリームは、MPEG2トランスポートストリームにアライバルタイムスタンプを付加したソースパケットにより構成されている
請求項１に記載の情報処理装置。
【請求項３】
前記制御部は、前記AVストリームが、所定の条件式を満たす場合には、前記所定の時間区間ごとの時間経過に対してのデータ量が前記所定の誤差の範囲内で比例するAVストリームであると判断して、前記記録モード情報を生成し、
前記所定の条件式は、
TS_average_rate＊192/188＊(t-α)<=AV_file_size(t)<=TS_average_rate＊192/188＊(t+α)
であり、
前記所定の条件式において、TS_average_rateは前記AVストリームの前記平均ビットレート情報、tは前記AVストリームの経過時刻、AV_file_size(t)は時刻tにおける前記AVストリームのデータ量、αは所定の一定値である
請求項２に記載の情報処理装置。
【請求項４】
アナログ入力信号またはデジタル入力信号を符号化し、符号化した前記AVストリームを出力する符号化部
をさらに備え、
前記制御部は、前記所定の時間区間ごとの時間経過に対してのデータ量が前記所定の誤差の範囲内で比例する符号化モードと、前記所定の時間区間ごとの時間経過に対してのデータ量が前記所定の誤差の範囲内で比例しない符号化モードのどちらか一方で前記アナログ入力信号または前記デジタル入力信号を符号化するように前記符号化部を制御する
請求項１に記載の情報処理装置。
【請求項５】
前記制御部は、前記所定の時間区間ごとの時間経過に対してのデータ量が前記所定の誤差の範囲内で比例しない符号化モードで、前記アナログ入力信号または前記デジタル入力信号を符号化するように前記符号化部を制御する場合には、前記所定の時間区間ごとの時間経過に対してのデータ量が前記所定の誤差の範囲内で比例するAVストリームでないことを示す情報を前記記録モード情報として生成するよう制御する
請求項４に記載の情報処理装置。
【請求項６】
デジタル放送の前記AVストリームを入力する入力部
をさらに備え、
前記制御部は、前記入力部により入力された前記デジタル放送のAVストリームを前記記録部によりトランスペアレント記録する場合には、前記所定の時間区間ごとの時間経過に対してのデータ量が前記所定の誤差の範囲内で比例するAVストリームでないことを示す情報を前記記録モード情報として生成するよう制御する
請求項１に記載の情報処理装置。
【請求項７】
情報処理装置が、
記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御ステップと、
前記制御ステップの処理により生成された前記記録モード情報と前記平均ビットレート情報を、前記AVストリームの実体を管理するClip情報として、前記AVストリームとともに記録媒体に記録する記録ステップと
を含む情報処理方法。
【請求項８】
コンピュータに、
記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御ステップと、
前記制御ステップの処理により生成された前記記録モード情報と前記平均ビットレート情報を、前記AVストリームの実体を管理するClip情報として、前記AVストリームとともに記録媒体に記録させる記録制御ステップと
を含む処理を実行させるコンピュータが読み取り可能なプログラムが記録されているプログラム格納媒体。
【請求項９】
コンピュータに、
記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御ステップと、
前記制御ステップの処理により生成された前記記録モード情報と前記平均ビットレート情報を、前記AVストリームの実体を管理するClip情報として、前記AVストリームとともに記録媒体に記録させる記録制御ステップと
を含む処理を実行させるプログラム。
【請求項１０】
情報記録媒体製造装置が、
記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御ステップと、
前記制御ステップの処理により生成された前記記録モード情報と前記平均ビットレート情報を、前記AVストリームの実体を管理するClip情報として、前記AVストリームとともに記録媒体に記録する記録ステップと
を含む情報記録媒体製造方法。
【請求項１１】
記録装置により記録される、
AVストリームと、
前記AVストリームが、所定の時間区間ごとの時間経過に対してのデータ量が所定の誤差の範囲内で比例するAVストリームであるかを示す記録モード情報と、前記AVストリームの平均ビットレート情報とを含む、前記AVストリームの実体を管理するClip情報と
が記録された記録媒体であり、
前記記録装置に装着された時、前記記録モード情報と前記平均ビットレート情報が前記記録装置により読み出され、前記記録モード情報と前記平均ビットレート情報に基づいて前記AVストリームの部分的な消去が行われる
記録媒体。
【手続補正２】
【補正対象書類名】明細書
【補正対象項目名】発明の名称
【補正方法】変更
【補正の内容】
【発明の名称】情報処理装置および方法、プログラム格納媒体、プログラム、情報記録媒体製造方法、並びに記録媒体
【手続補正３】
【補正対象書類名】明細書
【補正対象項目名】０００１
【補正方法】変更
【補正の内容】
【０００１】
本技術は情報処理装置および方法、プログラム格納媒体、プログラム、情報記録媒体製造方法、並びに記録媒体に関し、特に、記録媒体に記録されているデータの内容の管理情報をファイル化して記録する情報処理装置および方法、プログラム格納媒体、プログラム、情報記録媒体製造方法、並びに記録媒体に関する。
【手続補正４】
【補正対象書類名】明細書
【補正対象項目名】０００９
【補正方法】変更
【補正の内容】
【０００９】
本技術の第１の側面の情報処理装置は、記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御部と、前記制御部により生成された前記記録モード情報と前記平均ビットレート情報を、前記AVストリームの実体を管理するClip情報として、前記AVストリームとともに記録媒体に記録する記録部とを備える。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本技術の第１の側面の情報処理方法は、情報処理装置が、記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御ステップと、前記制御ステップの処理により生成された前記記録モード情報と前記平均ビットレート情報を、前記AVストリームの実体を管理するClip情報として、前記AVストリームとともに記録媒体に記録する記録ステップとを含む。
本技術の第１の側面のプログラム格納媒体に記録されているプログラム、または、プログラムは、コンピュータに、記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御ステップと、前記制御ステップの処理により生成された前記記録モード情報と前記平均ビットレート情報を、前記AVストリームの実体を管理するClip情報として、前記AVストリームとともに記録媒体に記録させる記録制御ステップとを含む処理を実行させる。
本技術の第１の側面の情報記録媒体製造方法は、情報記録媒体製造装置が、記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とを生成するよう制御する制御ステップと、前記制御ステップの処理により生成された前記記録モード情報と前記平均ビットレート情報を、前記AVストリームの実体を管理するClip情報として、前記AVストリームとともに記録媒体に記録する記録ステップとを含む。
本技術の第２の側面の記録媒体は、記録装置により記録される、AVストリームと、前記AVストリームが、所定の時間区間ごとの時間経過に対してのデータ量が所定の誤差の範囲内で比例するAVストリームであるかを示す記録モード情報と、前記AVストリームの平均ビットレート情報とを含む、前記AVストリームの実体を管理するClip情報とが記録された記録媒体であり、前記記録装置に装着された時、前記記録モード情報と前記平均ビットレート情報が前記記録装置により読み出され、前記記録モード情報と前記平均ビットレート情報に基づいて前記AVストリームの部分的な消去が行われる。
【手続補正９】
【補正対象書類名】明細書
【補正対象項目名】００１４
【補正方法】変更
【補正の内容】
【００１４】
本技術の第１の側面においては、記録媒体に記録されるAVストリームが、所定の時間区間ごとの時間経過に対してのデータ量が所定の誤差の範囲内で比例するAVストリームであるかを示す記録モード情報と、前記AVストリームの平均ビットレート情報とが生成されるよう制御され、前記記録モード情報と前記平均ビットレート情報が、前記AVストリームの実体を管理するClip情報として、前記AVストリームとともに記録媒体に記録される。
本技術の第２の側面においては、記録装置により、AVストリームと、前記AVストリームが、所定の時間区間ごとの時間経過に対してのデータ量が所定の誤差の範囲内で比例するAVストリームであるかを示す記録モード情報と、前記AVストリームの平均ビットレート情報とを含む、前記AVストリームの実体を管理するClip情報とが記録され、前記記録装置に装着された時、前記記録モード情報と前記平均ビットレート情報が前記記録装置により読み出され、前記記録モード情報と前記平均ビットレート情報に基づいて前記AVストリームの部分的な消去が行われる。